(57)【要約】【課題】視認性の良いライブビュー表示を行うことが可能な技術を提供する。【解決手段】本撮像装置は、異なるサイズの対象露光領域向けに設計された複数の交換レンズを選択的に装着可能である。当該撮像装置は、装着中の交換レンズの対象露光領域のサイズが撮像素子の撮像領域のサイズよりも小さい状態である不一致状態が生じているか否かを判定する。そして、当該不一致状態が生じていると判定される場合には、撮像領域の一部領域の画像を生成し、比較的広いエリア（不一致状態が生じていないときのライブビュー表示にて当該一部領域が表示されるエリアよりも広いエリア）に、当該一部領域の画像をライブビュー画像として表示させる。【選択図】図８
2007158935.tif 000002
【特許請求の範囲】
【請求項１】
異なるサイズの対象露光領域向けに設計された複数の交換レンズを選択的に装着可能な撮像装置であって、
撮像領域を有する撮像素子と、
前記撮像素子によって取得される画像をライブビュー画像として表示することが可能な表示手段と、
前記撮像装置に装着されている交換レンズの対象露光領域のサイズが前記撮像領域のサイズよりも小さい状態である不一致状態が生じているか否かを判定する判定手段と、
前記不一致状態が生じていると判定される場合には、前記撮像領域の一部領域の画像を生成し、前記一部領域の画像を前記表示手段において、前記不一致状態が生じていないときのライブビュー表示にて前記一部領域が表示されるエリアよりも広いエリアに、前記ライブビュー画像として表示させる表示制御手段と、
を備えることを特徴とする撮像装置。
【請求項２】
請求項１に記載の撮像装置において、
前記一部領域は、前記撮像装置に装着されている交換レンズの対象露光領域に相当する領域であることを特徴とする撮像装置。
【請求項３】
請求項１または請求項２に記載の撮像装置において、
前記表示制御手段は、前記不一致状態が生じていると判定される場合には、前記不一致状態が生じていないと判定される場合に比べて、前記撮像素子からの読み出し時における間引きの度合いを小さくして、前記一部領域の画像を読み出すことを特徴とする撮像装置。
【請求項４】
請求項１または請求項２に記載の撮像装置において、
前記表示制御手段は、前記不一致状態が生じていると判定される場合には、前記表示手段の表示領域のサイズに適合するように、前記撮像素子からの読み出し時における間引き率を変更して、前記一部領域の画像を読み出すことを特徴とする撮像装置。
【請求項５】
請求項１または請求項２に記載の撮像装置において、
前記表示制御手段は、前記不一致状態が生じていると判定される場合には、前記不一致状態が生じていないと判定される場合と同じ間引き率で前記撮像素子から画像を読み出し、当該読み出した画像のうち前記一部領域に対応する画像に対して、画素数を増加する解像度変換処理を施した拡大画像を、前記表示手段に表示させることを特徴とする撮像装置。
【請求項６】
交換レンズと、前記交換レンズを着脱可能な撮像装置とを有する撮像システムであって、
前記撮像装置は、異なるサイズの対象露光領域向けに設計された複数の交換レンズを選択的に装着可能であり、
前記撮像装置は、
撮像領域を有する撮像素子と、
前記撮像素子によって取得される画像をライブビュー画像として表示することが可能な表示手段と、
前記撮像装置に装着されている交換レンズの対象露光領域のサイズが前記撮像領域のサイズよりも小さい状態である不一致状態が生じているか否かを判定する判定手段と、
前記不一致状態が生じていると判定される場合には、前記撮像領域の一部領域の画像を生成し、前記一部領域の画像を前記表示手段において、前記不一致状態が生じていないときのライブビュー表示にて前記一部領域が表示されるエリアよりも広いエリアに、前記ライブビュー画像として表示させる表示制御手段と、
を備えることを特徴とする撮像システム。
【発明の詳細な説明】
【技術分野】
【０００１】
本発明は、交換レンズを着脱可能な撮像装置およびそれに関連する技術に関する。
【背景技術】
【０００２】
一眼レフタイプのカメラを用いた撮影動作においては、一般的に、撮影レンズへの入射光をペンタプリズム等を通して光学ファインダに導いて被写体を視認する構図決定動作が行われる。
【０００３】
一眼レフタイプのカメラのうち、撮像素子（ＣＣＤあるいはＣＭＯＳ等）を備えるデジタルカメラの場合には、上述のような光学ファインダによる構図決定動作だけでなく、撮像素子に入射する被写体像を被写体確認用の画像として液晶ディスプレイ（ＬＣＤ）に表示して視認するプレビュー動作（ライブビュー動作）を行うことが要求されることもある。
【０００４】
このような要求に応える技術としては、例えば、特許文献１に開示されている技術がある。この技術によれば、撮像素子に入射する被写体に関する全体画像が、プレビュー用の画像（ライブビュー画像）として、ＬＣＤ等に表示される。
【０００５】
【特許文献１】特開２００１−１２５１７３号公報
【発明の開示】
【発明が解決しようとする課題】
【０００６】
ところで、交換レンズを装着可能なデジタルカメラのボディ(カメラボディ)としては、ＡＰＳサイズの撮像領域(露光領域)が設けられた撮像素子を搭載するものが多い反面、ＡＰＳサイズより大きなサイズ、例えば３５ｍｍフルサイズの撮像領域が設けられた撮像素子を搭載するものも存在する。
【０００７】
しかしながら、３５ｍｍフルサイズの露光領域（撮像領域）を有する撮像素子を搭載したカメラボディに、ＡＰＳサイズの露光領域用に設計された交換レンズが装着されると、当該撮像領域の周辺部にイメージサークル不足によるケラレが生じて適正な撮影が困難な状態となる。
【０００８】
上記のような問題を解決する技術としては、たとえば、ＡＰＳサイズの露光領域用に設計された交換レンズを、フルサイズの露光領域を有する撮像素子を搭載したデジタルカメラに装着して撮影を行う場合において、フルサイズの露光領域中からトリミングによって、ＡＰＳサイズの露光領域に相当する領域の画像を切り出すことが考えられる。
【０００９】
ところが、切り出し対象の部分（ＡＰＳサイズの露光領域に相当する領域）の画像は元のサイズ（フルサイズ）よりも小さいため、この場合に上記特許文献１に記載されるようなライブビュー表示を行うと、切り出し対象の部分はＬＣＤ等に小さく表示されることになり、視認性が悪いという問題がある。
【００１０】
そこで、この発明の課題は、視認性の良いライブビュー表示を行うことが可能な技術を提供することにある。
【課題を解決するための手段】
【００１１】
上記課題を解決すべく、請求項１の発明は、異なるサイズの対象露光領域向けに設計された複数の交換レンズを選択的に装着可能な撮像装置であって、撮像領域を有する撮像素子と、前記撮像素子によって取得される画像をライブビュー画像として表示することが可能な表示手段と、前記撮像装置に装着されている交換レンズの対象露光領域のサイズが前記撮像領域のサイズよりも小さい状態である不一致状態が生じているか否かを判定する判定手段と、前記不一致状態が生じていると判定される場合には、前記撮像領域の一部領域の画像を生成し、前記一部領域の画像を前記表示手段において、前記不一致状態が生じていないときのライブビュー表示にて前記一部領域が表示されるエリアよりも広いエリアに、前記ライブビュー画像として表示させる表示制御手段とを備えることを特徴とする。
【００１２】
請求項２の発明は、請求項１の発明に係る撮像装置において、前記一部領域は、前記撮像装置に装着されている交換レンズの対象露光領域に相当する領域であることを特徴とする。
【００１３】
請求項３の発明は、請求項１または請求項２の発明に係る撮像装置において、前記表示制御手段は、前記不一致状態が生じていると判定される場合には、前記不一致状態が生じていないと判定される場合に比べて、前記撮像素子からの読み出し時における間引きの度合いを小さくして、前記一部領域の画像を読み出すことを特徴とする。
【００１４】
請求項４の発明は、請求項１または請求項２の発明に係る撮像装置において、前記表示制御手段は、前記不一致状態が生じていると判定される場合には、前記表示手段の表示領域のサイズに適合するように、前記撮像素子からの読み出し時における間引き率を変更して、前記一部領域の画像を読み出すことを特徴とする。
【００１５】
請求項５の発明は、請求項１または請求項２の発明に係る撮像装置において、前記表示制御手段は、前記不一致状態が生じていると判定される場合には、前記不一致状態が生じていないと判定される場合と同じ間引き率で前記撮像素子から画像を読み出し、当該読み出した画像のうち前記一部領域に対応する画像に対して、画素数を増加する解像度変換処理を施した拡大画像を、前記表示手段に表示させることを特徴とする。
【００１６】
請求項６の発明は、交換レンズと、前記交換レンズを着脱可能な撮像装置とを有する撮像システムであって、前記撮像装置は、異なるサイズの対象露光領域向けに設計された複数の交換レンズを選択的に装着可能であり、前記撮像装置は、撮像領域を有する撮像素子と、前記撮像素子によって取得される画像をライブビュー画像として表示することが可能な表示手段と、前記撮像装置に装着されている交換レンズの対象露光領域のサイズが前記撮像領域のサイズよりも小さい状態である不一致状態が生じているか否かを判定する判定手段と、前記不一致状態が生じていると判定される場合には、前記撮像領域の一部領域の画像を生成し、前記一部領域の画像を前記表示手段において、前記不一致状態が生じていないときのライブビュー表示にて前記一部領域が表示されるエリアよりも広いエリアに、前記ライブビュー画像として表示させる表示制御手段とを備えることを特徴とする。
【発明の効果】
【００１７】
請求項１から請求項６に記載の発明によれば、撮像素子から切り出された画像が表示手段に比較的大きく表示されるので、比較的高い視認性を得ることができる。
【００１８】
特に、請求項３および請求項４に記載の発明によれば、高い解像感を与え得るライブビュー表示を行うことが可能になる。
【発明を実施するための最良の形態】
【００１９】
以下、本発明の実施形態を図面に基づいて説明する。
【００２０】
＜１．撮像システムの概要＞
図１および図２は、本発明の実施形態に係る撮像システム１００の外観構成を示す図である。ここで、図１は、撮像システム１００の正面外観図であり、図２は、撮像システム１００の背面外観図である。また、図３は、図１のIII−III位置から見た断面を示す概念図である。
【００２１】
図１に示すように、撮像システム１００は、カメラ本体(カメラボディ)１０１と、このカメラ本体１０１の正面略中央に着脱可能に装着される交換レンズ１０２とを備えた一眼レフレックス型デジタルスチルカメラ（デジタル一眼レフカメラ）として構成されている。
【００２２】
図１において、カメラ本体(撮像装置)１０１は、正面略中央に交換レンズ１０２が装着されるマウント部Ｍｔと、交換レンズを着脱するための着脱ボタン１４９と、正面左端部に撮影者が把持するためのグリップ部１１３と、ＡＦのための補助光を照射するＡＦ補助光発光部１６３とを備えている。
【００２３】
カメラ本体１０１は、その正面右上部に制御値を設定するための制御値設定ダイアル１４６と、正面左上部に撮影モードを切り換えるためのモード設定ダイアル１４２と、グリップ部１１３の上面に露光の開始を指示するためのレリーズボタン１４７とを備えている。また、カメラ本体１０１は、フラッシュ撮影の際に被写体を照射する光を発するフラッシュ１６２を内蔵している。
【００２４】
また、図３に示すように、マウント部Ｍｔには、装着された交換レンズ１０２内のＣＰＵ１８１との電気的接続を行うためのコネクタＥＣと機械的接続を行うためのカプラＭＣとが設けられている。
【００２５】
コネクタＥＣは、ＣＰＵ１８１を介し、交換レンズ１０２に内蔵されたレンズＲＯＭ（リードオンリメモリ）１８２から当該レンズに関する型式や型番などのレンズ情報をカメラ本体１０１内の全体制御部１２１に送信したり、レンズ位置検出部１２３によって検出されたフォーカスレンズ１０３等のレンズ位置を全体制御部１２１に送出したりするためのものである。
【００２６】
カプラＭＣは、カメラ本体１０１内に設けられたフォーカスレンズ駆動用のモータＭ１の駆動力を交換レンズ１０２内のレンズ駆動機構１０４に伝達するもので、レンズ駆動機構１０４によりフォーカスレンズ１０３が光軸方向ＬＸに移動することとなる。
【００２７】
図１において、グリップ部１１３の内部には電池収納室とカード収納室とが設けられている。電池収納室にはカメラの電源として、例えば、４本の単３形乾電池が収納されており、カード収納室には撮影画像の画像データを記録するためのメモリカード１７６が着脱可能に収納されるようになっている。
【００２８】
モード設定ダイアル１４２は、カメラの各種モード（静止画を撮影する静止画撮影モード、動画を撮影する動画撮影モード、撮影した画像を再生する再生モード、および外部機器との間でデータ交信を行う通信モード等を含む）を設定するためのものである。
【００２９】
レリーズボタン１４７は、途中まで押し込んだ「半押し状態Ｓ１」の操作と、さらに押し込んだ「全押し状態Ｓ２」の操作とが可能に構成された２段階のスイッチとなっている。静止画撮影モードにおいて、レリーズボタン１４７が半押しされると、被写体の静止画を撮影するための準備動作（露出制御値の設定や焦点調節等の準備動作）が実行され、レリーズボタン１４７が全押しされると、撮影動作（後述する撮像素子１１６を露光し、その露光によって得られた画像信号に所定の画像処理を施す一連の動作）が実行される。
【００３０】
図２において、カメラ本体１０１の背面略中央上部には、ファインダ窓１０８が設けられている。ファインダ窓１０８には、交換レンズ１０２からの被写体像が導かれる。撮影者は、ファインダ窓１０８を覗くことによって、被写体を視認することができる。より具体的には、交換レンズ１０２を通過してきた被写体像を、ミラー機構１２６(図５参照)で上方に反射し、ペンタプリズム１１７（図５参照）を通した像を接眼レンズ１１８（図５参照）を介して見ることで、被写体像を視認することができる。なお、ファインダ窓１０８内には、シャッター速度や絞り値やその他撮像システム１００の状態を示す各種情報を表示する液晶表示部が内蔵されている。よって、撮影者は、ファインダ窓１０８を覗くことで、撮像システム１００の各種状態を確認することができる。
【００３１】
カメラ本体１０１の背面の略中央には、背面モニタ１０７が設けられている。背面モニタ１０７は、例えばカラー液晶ディスプレイとして構成されており、撮影条件等を設定するためのメニュー画面を表示すること、および再生モードにおいてメモリカード１７６に記録された撮影画像を再生表示することなどが可能である。また、後述するように、背面モニタ１０７にライブビュー画像を表示することによって、被写体を視認することも可能である。
【００３２】
この撮像システム１００においては、光学ファインダーを利用した構図決定動作とライブビュー表示を利用した構図決定動作とのいずれかを選択的に行うことが可能である。
【００３３】
背面モニタ１０７の左上部にはメインスイッチ１４１が設けられている。メインスイッチ１４１は２点スライドスイッチからなり、接点を左方の「ＯＦＦ」位置に設定すると、電源がオフになり、接点の右方の「ＯＮ」位置に設定すると、電源がオンになる。
【００３４】
背面モニタ１０７の右側には方向選択キー１４４が設けられている。この方向選択キー１４４は円形の操作ボタンを有し、この操作ボタンにおける上下左右の４方向の押圧操作と、右上、左上、右下及び左下の４方向の押圧操作とが、それぞれ検出されるようになっている。なお、方向選択キー１４４は、上記８方向の押圧操作とは別に、中央部のプッシュボタンの押圧操作も検出されるようになっている。
【００３５】
背面モニタ１０７の左方位置には、メニュー画面の設定、画像の削除などを行うための複数のボタンからなる設定ボタン群１４３が設けられている。
【００３６】
図４は、撮像システム１００の機能構成を示すブロック図である。
【００３７】
撮像システム１００において、制御部１２１は操作部１４０から入力される撮影者からの指示やレンズ位置検出部１２３により検出されるフォーカスレンズ１０３の位置等に基づき、撮像システム１００を統括的に制御するメイン・マイコンである。制御部１２１は、例えば、不一致状態ＳＴ０（後述）が生じているか否かを判定する判定部１２１ａ、背面モニタ１０７における表示動作を制御する表示制御部１２１ｂ、および画像の解像度を変換する解像度変換部１２１ｃ等としての機能を有している。
【００３８】
操作部１４０は、上記のメインスイッチ１４１やモード設定ダイアル１４２、設定ボタン群１４３、レリーズボタン１４７等で構成されている。
【００３９】
制御部１２１は、交換レンズ１０２内のＣＰＵ１８１を用い、レンズ位置検出部１２３により検出されたフォーカスレンズ１０３等のレンズ位置を検出する。そして、制御部１２１は、フォーカス制御部１２４を用いてモータＭ１を制御することにより、交換レンズ１０２内のフォーカスレンズ１０３を駆動する。ここでは、位相差ＡＦモジュール１１４により求められたデフォーカス量に応じてフォーカスレンズ１０３を移動させることにより、焦点制御を行うことが可能となる。
【００４０】
制御部１２１は、ミラー制御部１２５を用いてモーターＭ２を制御することにより、ミラー機構１２６内のクイックリターンミラーＭＲ（図５）等を駆動する。
【００４１】
制御部１２１は、シャッター制御部１２７を用いてモータＭ３を制御することにより、メカニカルシャッター１１５を駆動する。
【００４２】
制御部１２１は、タイミング制御回路１２８を用いて、撮像素子１１６（ここではＣＣＤ撮像素子）、信号処理部１２９、およびＡ／Ｄ変換部１３０を制御する。
【００４３】
撮像素子１１６は、例えば３５ｍｍフルサイズのフィルムに相当するサイズ（３６ｍｍ×２４ｍｍ）の撮像領域を有している。撮像素子１１６で撮像されたアナログ信号の画像は、信号処理部１２９およびＡ／Ｄ変換部１３０においてデジタル信号の画像データに変換され、画像処理部１５０に入力される。この画像データは、画像処理部１５０において、黒レベル補正回路１５１、ＷＢ補正回路１５２およびγ補正回路１５３で各画像処理が行われ、画像メモリ１５４に記憶される。
【００４４】
撮像素子１１６は、その駆動モード（読み出しモード）として、「本撮影モードＭＤ０」、「（第１）ライブビューモードＭＤ１」、および「（第２）ライブビューモードＭＤ２」の３つのモードを有している。制御部１２１は、これらの読み出しモードの中から動作状態および設定内容に応じて特定のモードを選択し、選択したモードをタイミング制御回路１２８に対して指定する。そして、タイミング制御回路１２８は、その指定内容にしたがって撮像素子１１６を駆動する。
【００４５】
「本撮影モードＭＤ０」は、フレーム画像全体（ここでは３０００×２０００の全画素）を読み出し対象として画像信号を読み出すモードである。このモードＭＤ０は、記録用の静止画像を生成する際に用いられる。
【００４６】
「ライブビューモードＭＤ１」および「ライブビューモードＭＤ２」は、いずれも、画像信号を間引き読み出しするモードであり、本撮影モードＭＤ０よりも高速な読み出し処理が可能である。両ライブビューモードＭＤ１，ＭＤ２は、記録用画像の撮影直前のプレビュー（ライブビューとも称する）用画像を生成する際などに用いられる。また、後述するように、「ライブビューモードＭＤ１」と「ライブビューモードＭＤ２」とはその間引き率および抽出範囲等が互いに異なり、両モードＭＤ１，ＭＤ２は交換レンズのイメージサークルサイズ等に応じて切り替えられる。
【００４７】
画像処理部１５０において処理された画像データは、ＶＲＡＭ１７１を用いて背面モニタ１０７において表示されたり、カードＩ／Ｆ１７５を用いてメモリカード１７６に記録されたり、ＵＳＢ等で規格化された通信用Ｉ／Ｆ１７７を用いて外部へ送信されたりする。
【００４８】
制御部１２１は、必要に応じて、フラッシュ回路１６１を介してフラッシュ１６２を発光させたり、ＡＦ補助光発光部１６３を発光させたりする。
【００４９】
＜２．構図決定動作＞
上述したように、この撮像システム１００においては、光学ファインダーを利用した構図決定動作とライブビュー表示を利用した構図決定動作とのいずれかを選択的に行うことが可能である。
【００５０】
図５および図６は、図１のIII−III位置から見た撮像システム１００の断面図である。図５は、光学ファインダを用いて被写体を視認する状態を示しており、図６は、ライブビュー表示を用いて被写体を視認する状態を示している。
【００５１】
光学ファインダを用いて被写体を視認する際には、図５に示すように、クイックリターンミラーＭＲが下降状態にされる。詳細には、枢支部１１９を中心として回動可能なクイックリターンミラーＭＲは、光軸に対して４５度の角度で傾斜した位置に停止される。また、メカニカルシャッター１１５は閉じた状態にされている。
【００５２】
図５の状態においては、交換レンズ１０２を介して入射する光は、クイックリターンミラーＭＲで反射され、さらにペンタプリズム１１７の内側面で反射されて、接眼レンズ１１８を通過してファインダ窓１０８へと進む。操作者は、このファインダ窓１０８を覗くことによって、実際の撮影状態に近い被写体像を確認することができる。
【００５３】
一方、ライブビュー表示を用いて被写体を視認する際には、図６に示すように、クイックリターンミラーＭＲが上昇状態にされる。詳細には、クイックリターンミラーＭＲは、枢支部１１９を中心として、ほぼ水平位置まで上方に回動する。これにより、交換レンズ１０２からの光は、撮像素子１１６に到達する。また、シャッター１１５は開いた状態にされており、撮像素子１１６に入射した被写体像は、撮像素子１１６における光電変換作用等によって電気的な画像データとして生成される。
【００５４】
なお、いずれの構図決定動作が行われる場合も、その構図決定動作が終了してレリーズボタン１４７が全押しされると、図６のような状態になって記録用画像が撮影される。なお、記録用画像撮影時においては、メカニカルシャッター１１５を用いた露光制御が行われる。
【００５５】
＜３．装着可能な交換レンズ＞
撮像システム１００のカメラ本体１０１は、異なるイメージサークルサイズを有する複数の交換レンズ１０２をそれぞれ着脱自在に装着することが可能である。換言すれば、同カメラ本体１０１は、異なるサイズの露光領域向けに設計された複数の交換レンズ１０２を選択的に（交換的に）装着することが可能である。また、このような交換レンズ１０２としては、撮像素子が搭載されたカメラボディ用に設計された交換レンズだけでなく、銀塩フィルムがセットされるカメラボディ用に設計された交換レンズも採用され得る。
【００５６】
このように、撮像システム１００においては、そのマウント部Ｍｔの規格がカメラ本体１０１のマウント部Ｍｔの規格に合致する交換レンズであれば、そのイメージサークルのサイズが撮像素子のサイズに合致しない交換レンズであっても、カメラ本体１０１への装着が可能となっている。そのため、後述するように、ケラレの発生を伴う交換レンズ１０２が装着されることがある。
【００５７】
なお、本出願では、各交換レンズ１０２に関してその設計時に対象とされる露光領域を「対象露光領域」とも称するものとする。例えば、銀塩カメラ用の多くの交換レンズ１０２ａは３５ｍｍサイズのフィルムの露光領域Ｅａ（図７）向けに設計されており、当該露光領域Ｅａを当該交換レンズ１０２ａの対象露光領域と称する。また、ＡＰＳサイズのデジタルカメラ用の多くの交換レンズ１０２ｂはＡＰＳサイズの撮像領域Ｅｂ（図７）向けに設計されており、当該露光領域Ｅｂを当該交換レンズ１０２ｂの対象露光領域と称する。また、この実施形態では、カメラ本体１０１に設けられた撮像素子１１６は、３５ｍｍフルサイズのフィルムに相当するサイズ（約３６ｍｍ×約２４ｍｍ）の撮像領域１１６ｆ（図７参照）を有しているものとして説明する。なお、図７は、各交換レンズの対象露光領域Ｅａ，Ｅｂ（およびそれぞれのイメージサークルＩＣａ，ＩＣｂ）と撮像素子１１６の撮像領域１１６ｆとの関係を示す図である。
【００５８】
さて、カメラ本体１０１は、撮像素子１１６の撮像領域１１６ｆのサイズと同一サイズの露光領域（対象露光領域）Ｅａ向けに設計された交換レンズ１０２（１０２ａ）を装着することが可能である。この交換レンズ１０２ａの対象露光領域Ｅａのサイズと撮像素子１１６の撮像領域１１６ｆのサイズとは同一であるため、図７に示すように、撮像素子１１６の撮像領域１１６ｆは交換レンズ１０２ａのイメージサークルＩＣａに内包される。したがって、このような交換レンズ１０２ａがカメラ本体１０１に装着される場合には、適正な撮影が可能である。
【００５９】
また、カメラ本体１０１は、撮像素子１１６の撮像領域１１６ｆのサイズよりも大きなサイズの露光領域（対象露光領域）Ｅｃ（不図示）向けに設計された交換レンズ１０２（１０２ｃ）をも装着することが可能である。この交換レンズ１０２ｃのイメージサークルＩＣｃは、交換レンズ１０２ａのイメージサークルＩＣａよりも大きい。この場合も、交換レンズ１０２ｃのイメージサークルＩＣｃの内側に撮像素子１１６の撮像領域１１６ｆが含まれるため、適正な撮影が可能である。
【００６０】
さらに、カメラ本体１０１は、撮像素子１１６の撮像領域１１６ｆのサイズよりも小さなサイズの露光領域（対象露光領域）Ｅｂ向けに設計された交換レンズ１０２（１０２ｂ）をも装着することが可能である。具体的には、カメラ本体１０１は、ＡＰＳサイズの撮像領域(約２４ｍｍ×約１６ｍｍ)用に設計された交換レンズ１０２（１０２ｂ）を装着することが可能である。この交換レンズ１０２ｂのイメージサークルＩＣｂは、交換レンズ１０２ａのイメージサークルＩＣａよりも小さい。
【００６１】
しかしながら、このような交換レンズ１０２ｂが装着される場合には、図７に示すように、撮像素子１１６の撮像領域１１６ｆが交換レンズ１０２ｂのイメージサークルＩＣｂの内側に含まれなくなる。そのため、例えば図８に示すように、撮像素子１１６によって取得される画像Ｇｏにおいては、その四隅部分の輝度が低下して画像周辺部にケラレＫｒが生じることとなる。
【００６２】
そこで、この撮像システム１００においては、カメラ本体１０１に現在装着されている交換レンズ（装着中の交換レンズ）１０２の対象露光領域のサイズＳｅが撮像素子１１６の撮像領域１１６ｆのサイズＣｓよりも小さい（Ｓｅ＜Ｃｓ）状態（以下、不一致状態、イメージサークル過小状態、あるいは過小レンズ装着状態などとも称する）ＳＴ０が生じているか否かを判定する。そして、当該状態ＳＴ０が生じている場合には、撮像素子１１６の撮像領域１１６ｆの一部をトリミングによって切り出した画像を記録用画像として用い、当該記録用画像と同じ領域の画像（間引き画像）を用いてライブビュー表示を行うものとする。具体的には、カメラ本体１０１に現在装着されている交換レンズ（以下、単に「装着レンズ」とも称する）の対象露光領域（例えばＥｂ）に相当する部分領域の画像をライブビュー画像として表示するとともに、操作者からの撮影指示に応答して、当該部分領域の画像を撮像領域１１６ｆから抽出し記録用画像（撮影画像）として記録するものとする。
【００６３】
＜４．ライブビュー表示詳細＞
この実施形態においては、交換レンズの対象露光領域のサイズＳｅと撮像素子の撮像領域のサイズＣｓとの大小関係に応じて、（ａ）標準ライブビュー表示および（ｂ）特別ライブビュー表示、の２種類のライブビュー表示を切り替えて行うものとする。具体的には、上述の不一致状態ＳＴ０が生じているものと判定される場合（Ｓｅ＜Ｃｓの場合）には、（ｂ）特別ライブビュー表示が行われ、それ以外の状態であると判定される場合（Ｓｅ＝ＣｓまたはＳｅ＞Ｃｓの場合）には、（ａ）標準ライブビュー表示が行われる。（ａ）標準ライブビュー表示では、撮像領域１１６ｆの画像ＧＡが背面モニタ１０７に表示され（図９参照）、（ｂ）特別ライブビュー表示では、撮像領域１１６ｆのうちの一部領域（具体的には、装着レンズ１０２の対象露光領域に相当する部分領域）の画像ＧＢが背面モニタ１０７に拡大表示される（図１０参照）。なお、図９は標準ライブビュー表示による背面モニタ１０７での表示状態を示す図であり、図１０は特別ライブビュー表示による背面モニタ１０７での表示状態を示す図である。
【００６４】
まず、標準ライブビュー表示について説明する。
【００６５】
標準ライブビュー表示が行われる際には、撮像素子１１６の駆動モードとして、「ライブビューモードＭＤ１」が採用される。
【００６６】
図１１（ａ）（ｂ）に示すように、「ライブビューモードＭＤ１」においては、水平方向３０００画素、垂直方向２０００画素を有する撮像素子１１６から水平ラインごとの画素信号を読み出す際、８ライン中１ラインを読み出すように撮像素子１１６が駆動される。つまり、「ライブビューモードＭＤ１」時には、２０００本の水平ラインが１／８間引きされた状態（１／８に間引かれた状態）で読み出される。この結果、「ライブビューモードＭＤ１」時に撮像素子１１６から出力される画像ＧＡ１は、図１１（ｂ）に示すように３０００×２５０の画素で構成されることになる。
【００６７】
その後、解像度変換部１２１ｃは、この画像ＧＡ１に対して、水平方向の画素数を１／８にする所定の解像度変換を施し、図１１（ｃ）に示すように、３７５×２５０の画素で構成される画像ＧＡ２を得る。さらに、解像度変換部１２１ｃは、縦横の画素数の微調整を行うための補間処理（解像度変換）を行うことによって、図１１（ｄ）に示すように、３２０×２４０画素で構成される画像ＧＡ３を得る。
【００６８】
この画像ＧＡ３は、背面モニタ１０７の表示画素数と同一の画像サイズを有するとともに、撮像素子１１６の撮像領域の全体エリア（全撮像領域）１１６ｆに対応する領域をその視野とする画像（図９参照）である。
【００６９】
このようにして取得された画像ＧＡ３は、ライブビュー画像として背面モニタ１０７に表示される。なお、このような画像ＧＡ３は、微小時間間隔Δｔ（例えば１／３０秒）で順次に取得され、同間隔Δｔで背面モニタ１０７に表示される。これによって、背面モニタ１０７において動画的態様のライブビュー表示が実現される。
【００７０】
次に、特別ライブビュー表示について説明する。
【００７１】
上述したように、特別ライブビュー表示は、不一致状態ＳＴ０が生じている場合（すなわちＳｅ＜Ｃｓの場合）に行われる。この特別ライブビュー表示は、装着レンズの対象露光領域に相当する領域Ｅｂ（図１２参照）を対象に行われる。なお、図１２に示すように、領域Ｅｂに存在する水平ラインとしては、撮像領域１１６ｆにおける全２０００本の水平ラインのうち、約２／３（約１６ｍｍ／２４ｍｍ＝Ｅｂ／Ｅａ）にあたる１３３６本が該当する。
【００７２】
ここにおいて、不一致状態ＳＴ０が生じている場合でも上述の標準ライブビュー表示を行うことも考えられる。しかしながら、この場合、装着レンズの対象露光領域は撮像領域１１６ｆよりも小さなサイズを有しているため、標準ライブビュー表示と同様の表示を行うときには、領域Ｅｐ（画像トリミング後の記録用画像の視野範囲に相当する）が背面モニタ１０７において比較的小さく表示されてしまうことになる。
【００７３】
そこで、この実施形態では、撮像領域１１６ｆの全体領域に対してトリミングを行い、撮像領域１１６ｆの一部領域に対応する画像（詳細には、装着レンズ１０２の対象露光領域Ｅｂ（図１２）に相当する画像）を生成する。そして、この一部領域Ｅｂに対応する画像を比較的大きく背面モニタ１０７に表示することによって、ライブビュー表示を行うものとする（図１０）。このとき、一部領域Ｅｂの画像は、背面モニタ１０７において、比較的広いエリア、具体的には領域Ｅｐ（図８）よりも広いエリア（例えば背面モニタ１０７の全表示領域）に表示される。領域Ｅｐは、不一致状態ＳＴ０が生じていないときのライブビュー表示（例えば標準ライブビュー表示）にて一部領域Ｅｂが表示されるエリアであるとも表現される。このように、一部領域Ｅｂの画像が背面モニタ１０７に比較的大きく表示されるので、比較的高い視認性を得ることができる。
【００７４】
また、この特別ライブビュー表示においては、撮像素子１１６からの読み出し時における間引き率を変更して（詳細には、間引きの度合いを小さくして）、一部領域Ｅｂの画像を読み出すものとする。換言すれば、不一致状態ＳＴ０が生じていると判定される場合には、不一致状態ＳＴ０が生じていないと判定される場合に比べて間引きの度合いを小さくして、ライブビュー用の画像が取得される。ここでは、撮像素子１１６の駆動モードとして「ライブビューモードＭＤ２」を用いて、１／５間引きによるライブビュー用の画像を取得する場合（図１４）を例示する。仮に、領域Ｅｂを１／８間引きによる駆動動作によって読み出す場合には、領域Ｅｂに対応する１３３６本の水平ライン（図１２）のうち、１６６本の水平ラインが読み出される（図１３）。これに対して、領域Ｅｂを１／５間引きによる駆動動作によって読み出す場合には、領域Ｅｂに対応する１３３６本の水平ライン（図１２）のうち、より多数の水平ライン（２６６本の水平ライン）を読み出すことができる（図１４）。したがって、比較的高い解像感を与え得るライブビュー表示を行うことが可能になる。
【００７５】
また、撮像素子１１６からの読み出し時には、一部領域Ｅｂ以外の部分（詳細には、一部領域Ｅｂ以外の部分の水平ライン）を読み出さない。これによれば、読み出し時間の短縮を図ることが可能である。したがって、動画的態様のライブビュー表示において、フレームレートの低下を防止し、動きが滑らかでなくなることを防止できる。
【００７６】
図１５を参照しながら、特別ライブビュー表示動作の詳細について説明する。
【００７７】
まず、撮像素子１１６の駆動動作が「ライブビューモードＭＤ２」に設定される。そして、図１５（ａ）（ｂ）に示すように、撮像領域１１６ｆのうち領域Ｅｂに対応する１３３６本の水平ラインについて、５ライン中１ラインを読み出すように駆動される。つまり、ライブビューモードＭＤ２においては、１３３６本の水平ラインが１／５間引きされた状態（１／５に間引かれた状態）で読み出される。この結果、ライブビューモードＭＤ２において撮像素子１１６から出力される画像ＧＢ１は、図１５（ｂ）に示すように３０００×２６６の画素で構成されることになる。
【００７８】
その後、解像度変換部１２１ｃは、この画像ＧＢ１に対して、各水平ラインの中央部（装着レンズの対象露光領域に相当する部分）の２０００画素について、その水平方向の画素数を１／５にする所定の解像度変換を施し、図１５（ｃ）に示すように、４００×２６６の画素で構成される画像ＧＢ２を得る。さらに、解像度変換部１２１ｃは、縦横の画素数の微調整を行うための補間処理（解像度変換）を行うことによって、図１５（ｄ）に示すように、３２０×２４０画素で構成される画像ＧＢ３を得る。この補間処理においては、画像ＧＢ２に対してその画素数を減少する解像度変換処理（縮小処理）が施される。
【００７９】
この画像ＧＢ３は、撮像素子１１６の撮像領域１１６ｆのうち、装着レンズの対象露光領域に相当する領域（図１２参照）Ｅｂをその視野とする画像であり、且つ、背面モニタ１０７の表示画素数と同一の画像サイズを有している。
【００８０】
このようにして取得された画像ＧＢ３は、ライブビュー画像として背面モニタ１０７に表示される。なお、このような画像ＧＢ３は、微小時間間隔Δｔ（例えば１／３０秒）で順次に取得され、動画的態様で背面モニタ１０７に表示される。
【００８１】
以上のように、特別ライブビュー表示における「ライブビューモードＭＤ２」による画像読み出し時の間引き率（４／５）は、標準ライブビュー表示における「ライブビューモードＭＤ１」による画像読み出し時の間引き率（７／８）よりも小さい。そのため、「ライブビューモードＭＤ２」によって読み出された画像ＧＢ２は、画像ＧＡ２に比べて高精細な画像として得られる。また、縮小処理後の画像ＧＢ３も、画像ＧＡ３に比べて高い解像感を得ることができる。
【００８２】
＜５．撮像システム１００の動作＞
図１６は、撮像システム１００の基本的な動作を示すフローチャートである。この動作は、制御部１２１によって実行される。図１６を参照しながら、撮像システム１００の動作について説明する。
【００８３】
まず、ユーザによって交換レンズ１０２が装着されると、その装着が検出される(ステップＳＰ１)。ここでは、例えばコネクタＥＣを介してＣＰＵ１８１との通信が可能か否かを判断することで、交換レンズ１０２がマウント部Ｍｔに装着されたか否かを検出する。
【００８４】
また、ステップＳＰ２においては、ＲＯＭ１８２に格納されている交換レンズ１０２の情報がコネクタＥＣを介してカメラ本体１０１に向けて送信され、当該情報が制御部１２１で受信される。
【００８５】
次のステップＳＰ３においては、ライブビュー表示に関する設定内容が確認される。この撮像システム１００においては、背面モニタ１０７に表示されるメニュー画面等を用いて、ライブビュー表示を行うか否かを操作者が予め設定しておくことができる。設定内容（設定値）は、制御部１２１内に格納される。ライブビュー表示を行う旨が設定されている場合には、当該ライブビュー表示を利用した構図決定動作が可能になり、当該ライブビュー表示を行わない旨が設定されている場合には、光学ファインダーを利用した構図決定動作が可能になる。このステップＳＰ３ではこの設定内容（設定値）を確認し、ライブビュー表示を行うか否かを決定する。
【００８６】
そして、ライブビュー表示を行わない旨が設定されている場合には、図５のようにクイックリターンミラーＭＲを下降状態にし且つメカニカルシャッター１１５を閉じた状態にした上でステップＳＰ７に進む。一方、ライブビュー表示を行う旨が設定されている場合には、図６のようにクイックリターンミラーＭＲを上昇状態にし且つメカニカルシャッター１１５を開いた状態にした上でステップＳＰ４に進む。
【００８７】
ステップＳＰ４では、ステップＳＰ２で受信した交換レンズ１０２の情報に基づき、カメラ本体１０１に装着中の交換レンズの対象露光領域のサイズと、カメラ本体１０１内の撮像素子１１６の撮像領域（露光領域）のサイズとの大小関係を判定する。
【００８８】
具体的には、カメラ本体１０１に現在装着されている交換レンズ１０２の対象露光領域のサイズＳｅが、カメラ本体１０１内の撮像素子１１６の撮像領域（露光領域）のサイズＣｓよりも小さい状態ＳＴ０であるか否かが判定される。
【００８９】
具体的には、ステップＳＰ２で例えば交換レンズ１０２の型番をレンズの固有情報として受信した場合には、その型番の交換レンズ１０２の対象露光領域のサイズを把握して、撮像素子１１６の撮像領域のサイズと比較する。例えば、交換レンズの型番とそれに適合する撮像素子の撮像領域サイズとの関係を記述したデータテーブルを制御部１２１のメモリに格納しておき、このデータテーブルを参照することにより交換レンズの型番から当該型番の交換レンズについての対象露光領域のサイズＳｅを取得することができる。また、撮像素子１１６の撮像領域サイズＣｓに関する情報は、制御部１２１内のＲＯＭ（不図示）から読み出すことによって取得される。そして、両情報を比較することによって、上記の状態ＳＴ０が生じているか否かが判定される。
【００９０】
そして、不一致状態ＳＴ０が生じていない場合にはステップＳＰ５に進み、不一致状態ＳＴ０が生じている場合にはステップＳＰ６に進む。
【００９１】
ステップＳＰ５では、上述の標準ライブビュー表示（モードＭＤ１によるライブビュー表示）が行われる。
【００９２】
一方、ステップＳＰ６では、上述の特別ライブビュー表示（モードＭＤ２によるライブビュー表示）が行われる。
【００９３】
そして、ステップＳＰ７において、レリーズボタン１４７がユーザによって全押しされると、露光動作が行われる。これにより、撮像素子１１６で被写体の画像が取得される。なお、この露光動作においては、不一致状態ＳＴ０が生じているときには、撮像素子１１６から読み出した全体画像のうち、領域Ｅｂ（図７参照）を切り出した高解像度の画像（例えば、２０００×１３３６画素の画像）が記録画像として記録される。また、不一致状態ＳＴ０が生じていないときには、撮像領域全体に関する高解像度の画像（例えば、３０００×２０００画素の画像）が撮像素子１１６から読み出されて記録画像として記録される。
【００９４】
＜６．変形例＞
上記実施形態においては、不一致状態ＳＴ０が発生している場合には、ライブビュー表示用の画像として、「ライブビューモードＭＤ２」を用いて対象露光領域の画像を読み出す場合を例示したが、これに限定されない。例えば、不一致状態ＳＴ０が発生している場合においても、「ライブビューモードＭＤ１」によって対象露光領域の画像を読み出すようにしてもよい。
【００９５】
詳細には、まず、図１７（ａ）（ｂ）に示すように、「ライブビューモードＭＤ１」によって、対象露光領域に対応する１３３６本の水平ラインが１／８間引きされた状態で読み出され、撮像素子１１６から、３０００×１６６の画素で構成された画像ＧＣ１が出力される（図１７（ｂ））。その後、画像ＧＣ１に対して、各水平ラインの中央部（装着レンズの対象露光領域に相当する部分）の２０００画素について、水平方向の画素数を１／８にする所定の解像度変換を施し、図１７（ｃ）に示すように、２５０×１６６の画素で構成される画像ＧＣ２を得る。さらに、縦横の画素数の微調整を行うための補間処理（解像度変換）を画像ＧＣ２に施すことによって、図１７（ｄ）に示すような、３２０×２４０画素で構成される画像ＧＣ３をライブビュー画像として得ることができる。この補間処理においては、画像ＧＣ２について、水平方向および垂直方向の両方向の画素数を増加させる（すなわち画素数を拡大する）解像度変換処理が施され、画像ＧＣ３が得られる。
【００９６】
ただし、この場合、すなわち、「ライブビューモードＭＤ１」によって対象露光領域の画像を読み出す場合には、当該対象露光領域に対応する１３３６本の水平ラインのうちの７／８が間引かれて、残りの約１／８にあたる１６６本が読み出される。これによれば、背面モニタ１０７の水平ライン数である２４０本よりも少ない数の水平ラインの画像ＧＣ２しか得られないことになる。そのため、画像ＧＣ２に拡大補間処理を施すことによって垂直方向の画素数を増加させて大きく表示するとしても、上記実施形態ほどには高解像感を得ることができない。
【００９７】
これに対して、上記実施形態においては、背面モニタ１０７の表示領域のサイズ（詳細には、縦横の画素数（画素数サイズ））（ここでは３２０×２４０画素）、特に水平ライン数（２４０本）に適合するように、撮像素子１１６からの読み出し時における間引き率を変更して、一部領域Ｅｂの画像を読み出している。具体的には、「ライブビューモードＭＤ２」によって対象露光領域の画像を読み出す場合において、当該対象露光領域に対応する１３３６本の水平ラインのうちの４／５が間引かれるものの、残りの約１／５にあたる２６６本が読み出される。すなわち、比較的多数の水平ラインを有する画像、詳細には背面モニタ１０７の水平ライン数である２４０本よりも多い数の水平ラインを有する画像を得ることができる。したがって、背面モニタ１０７への表示用画像として、十分に細かく且つ適度な解像度を有する画像を得ることが可能になる。
【００９８】
また、上記実施形態のように、撮像素子１１６からの読み出し直後の水平ライン数は、背面モニタ１０７の水平ライン数（画素数）に適合するように設定されることが好ましい。上記実施形態においては、撮像素子１１６からの読み出し直後の水平ライン数（２６６本）が背面モニタ１０７の水平ライン数（２４０本）以上となるように、撮像素子１１６からの読み出し時における間引き率が設定されているが、これに限定されない。具体的には、撮像素子１１６からの読み出し後の水平ライン数は背面モニタ１０７の水平ライン数の１割程度の誤差範囲内の値（例えば、２１６本〜２６６本）となるように定められればよい。詳細には、読み出し直後の水平ライン数は、背面モニタ１０７の水平ライン数を若干下回る値（例えば、２１６本）であってもよい。撮像素子１１６からの読み出し直後の水平ライン数（垂直方向の画素数）は、このような誤差範囲内の水平ライン数であれば、背面モニタ１０７の水平ライン数（画素数）に適合するものであるとみなされる。また、水平方向の画素数についても同様である。
【００９９】
また、上記実施形態においては、特殊ライブビュー表示において、画像ＧＢ３を背面モニタ１０７の全体に表示しているが、これに限定されない。例えば、上記不一致状態ＳＴ０が生じていることを示す表示をライブビュー画像に付するようにしてもよい。たとえば、図１８に示すように、ライブビュー画像に外枠（ハッチング枠等）を付した状態でライブビュー表示を行うようにしてもよい。あるいは、ライブビュー画像を背面モニタ１０７の全体のうちの一部の指定領域（部分領域）に表示するようにしてもよい。なお、この指定領域は、領域Ｅｐ（図８）よりも広い領域であることが好ましい。
【０１００】
また、上記実施形態においては、撮像素子１１６として、ＣＣＤタイプの撮像素子を用いる場合について説明したが、これに限定されず、ＣＭＯＳタイプの撮像素子を用いるようにしてもよい。なお、ＣＭＯＳタイプの撮像素子を用いる場合には、撮像素子から画像信号を読み出す際に所望の位置の画素信号を直接的に取得してライブビュー画像を生成することが可能である。したがって、撮像素子１１６からの画像読み出し時において、水平方向および垂直方向の両方向における間引き動作を伴って画像を読み出せばよい。これによれば、例えば、図１５における画像ＧＢ１を介することなく、画像ＧＢ２に相当する画像を撮像素子１１６から直接に切り出すことができる。同様に、図１７における画像ＧＣ１を介することなく、画像ＧＣ２に相当する画像を撮像素子１１６から直接に切り出すことができる。
【０１０１】
また、上記実施形態においては交換レンズ１０２の情報としてレンズの型式や型番等をＲＯＭ１８２に格納していたが、これに限定されず、交換レンズ１０２に対応する撮像素子の撮像領域サイズを直接ＲＯＭ１８２に格納するようにしても良い。
【図面の簡単な説明】
【０１０２】
【図１】撮像システムの外観構成を示す正面図である。
【図２】撮像システムの外観構成を示す背面図である。
【図３】図１のIII−III位置から見た断面を示す概念図である。
【図４】撮像システムの機能構成を示すブロック図である。
【図５】光学ファインダを用いて被写体を視認する状態を示す断面図である。
【図６】ライブビュー表示を用いて被写体を視認する状態を示す断面図である。
【図７】交換レンズの対象露光領域（およびイメージサークル）と撮像素子の撮像領域との関係を示す図である。
【図８】ケラレを示す概念図である。
【図９】標準ライブビュー表示による表示状態を示す図である。
【図１０】特別ライブビュー表示による表示状態を示す図である。
【図１１】第１ライブビューモードによる読み出し画像等を示す図である。
【図１２】装着レンズの対象露光領域と撮像領域との関係を示す図である。
【図１３】１／８間引きによる第１ライブビューモードの駆動動作を示す概念図である。
【図１４】１／５間引きによる第２ライブビューモードの駆動動作を示す概念図である。
【図１５】第２ライブビューモードによる読み出し画像等を示す図である。
【図１６】撮像システムの動作を示すフローチャートである。
【図１７】変形例に係る読み出し画像等を示す図である。
【図１８】変形例に係る表示態様を示す図である。
【符号の説明】
【０１０３】
１００  撮像システム
１０１  カメラ本体
１０２，１０２ａ，１０２ｂ，１０２ｃ  交換レンズ
１０７  背面モニタ
１１５  メカニカルシャッター
１１６  撮像素子
１１６ｆ  撮像領域
１２６  ミラー機構
ＩＣａ，ＩＣｂ，ＩＣｃ  イメージサークル
Ｋｒ  ケラレ
【図１】
2007158935.tif 000003
【図２】
2007158935.tif 000004
【図３】
2007158935.tif 000005
【図４】
2007158935.tif 000006
【図５】
2007158935.tif 000007
【図６】
2007158935.tif 000008
【図７】
2007158935.tif 000009
【図８】
2007158935.tif 000010
【図９】
2007158935.tif 000011
【図１０】
2007158935.tif 000012
【図１１】
2007158935.tif 000013
【図１２】
2007158935.tif 000014
【図１３】
2007158935.tif 000015
【図１４】
2007158935.tif 000016
【図１５】
2007158935.tif 000017
【図１６】
2007158935.tif 000018
【図１７】
2007158935.tif 000019
【図１８】
2007158935.tif 000020